(57)【要約】【課題】  弁体をピストンに容易に装着することができる回転ダンパを提供する。【解決手段】ピストン５の外周面には、装着溝５ｃを形成する。装着溝５ｃは、断面円形をなすピストン５の弦方向に延び、第１室１１と第２室１２とを連通させる連通路１３を構成する連通溝１３ａを横断するように配置する。装着溝５ｃには、連通溝５ｃを開閉する弁体６をピストン５の径方向へ着脱可能に装着する。【選択図】図１
2010101413.tif 000002
【特許請求の範囲】
【請求項１】
一端が開口し、他端が底部によって閉じられた収容部を有するダンパ本体と、上記収容部の開口側の端部に回転可能に設けられたロータと、このロータと上記底部との間の上記収容部内に充填された流体と、上記ロータと上記底部との間の上記収容部内にその軸線方向へ移動可能に、かつ回転不能に設けられ、上記収容部の内部を上記底部側の第１室と上記ロータ側の第２室とに区分するピストンと、上記ロータの回転に伴って上記ピストンを移動させる移動機構と、上記ピストンに上記収容部の軸線方向へ閉位置と開位置との間を移動可能に設けられた弁体とを備え、上記収容部の内周面と上記ピストンの外周面との間には、上記第１室と上記第２室とを連通させる連通路が設けられ、上記弁体が上記閉位置に位置すると上記連通路が上記弁体によって閉じられ、上記弁体が上記開位置に位置すると上記連通路が開かれる回転ダンパにおいて、
上記ピストンの外周面に装着凹部が形成され、この装着凹部に上記弁体が上記ピストンの径方向へ着脱可能に、かつ上記ピストン軸線方向へ移動可能に装着され、上記弁体は、上記ピストンの軸線方向における一端側に位置する上記装着凹部の第１側面に突き当たったときに上記閉位置に位置して上記連通路を閉じ、上記ピストンの軸線方向における他端側に位置する上記装着凹部の第２側面に突き当たったときに上記開位置に位置して上記連通路を開くことを特徴とする回転ダンパ。
【請求項２】
上記弁体には、上記開位置に位置したときに上記第２側面に突き当たる第２当接面から装着凹部の底面と対向する対向面を経て上記閉位置に位置したときに上記第１側面に突き当たる第１当接面まで延びる連通溝が形成され、上記弁体が上記開位置に位置しているときには、上記連通路の上記第１室側の部分と上記第２室側の部分とが、上記連通溝及び上記第１側面と上記第１当接面との間に形成される隙間を介して連通し、上記弁体が上記閉位置に位置しているときには、上記連通溝が互いに突き当たる上記第１当接面及び上記第１側面によって閉じられ、その結果上記連通路が上記弁体によって閉じられることを特徴とする請求項１に記載の回転ダンパ。
【請求項３】
上記第１当接面及び上記第１側面には、互いに突き当たることによって上記弁体を上記ピストンの径方向外側へ押圧して上記弁体を上記収容部の内周面に押圧接触させる押圧面が形成されていることを特徴とする請求項２に記載の回転ダンパ。
【発明の詳細な説明】
【技術分野】
【０００１】
この発明は、便器本体と便蓋のような機器本体とこれに回転自在に支持された回転体との間に設けられ、回転体の少なくとも一方向への高速回転を阻止して、低速で回転させる回転ダンパに関する。
【背景技術】
【０００２】
一般に、この種の回転ダンパは、有底円筒状をなすダンパ本体と、このダンパ本体の開口側の端部に回転可能に設けられたロータと、ダンパ本体の内部にその軸線方向へ移動可能に、かつ回転不能に設けられたピストンと、このピストンをロータの回転に伴って移動させる移動機構とを有している。ロータと底部との間に位置するダンパ本体の内部は、ピストンにより底部側の第１室とロータ側の第２室とに区画されている。第１及び第２室には、粘性流体等の流体が充填されている。
【０００３】
ロータが一方向へ回転すると、ピストンが第１室側から第２室側へ移動する。すると、第２室内の流体が連通路を通って第１室側へ流入しようとする。ところが、このときには、連通路が弁体によって閉じられている。このため、ロータの高速回転が阻止され、低速で回転する。ロータが他方向へ回転するときには、ピストンが第２室側から第１室側へ移動し、第１室内の流体が第２室に流入しようとする。このときには、弁体が連通路を開いている。したがって、第１室内の流体は、連通路を通って第２室にほとんど抵抗なく流入することができる。したがって、ロータは高速回転することができる。
【０００４】
従来の回転ダンパにおいては、下記特許文献１に記載されているように、弁体がリング状に形成されており、ピストンの外周面に形成された環状溝に装着されている。弁体を環状溝に装着する場合には、弁体の内部にピストンをその一端部から挿入する。弁体が環状溝と対向したら、ピストンを弁体に対してほぼ９０°回転させる。これにより、弁体がピストンの環状溝に開位置と閉位置との間の所定範囲だけ移動可能に装着される。
【０００５】
【特許文献１】特許第４０６４２３５号公報
【発明の開示】
【発明が解決しようとする課題】
【０００６】
上記従来の回転ダンパにおいて、弁体を環状溝に装着する場合には、ピストンを弁体に挿入しなければならない。この場合、ピストンの外径が弁体の内径より大幅に大きければ問題ないが、ピストンの外径と弁体の内径とはほぼ同一であり、しかも非円形状になっている。このため、ピストンを弁体に挿入し難いという問題があった。また、ピストンの移動範囲を規制するため、ピストンを９０°回転させなければならず、装着に手間がかかるという問題があった。
【課題を解決するための手段】
【０００７】
この発明は、上記の問題を解決するために、一端が開口し、他端が底部によって閉じられた収容部を有するダンパ本体と、上記収容部の開口側の端部に回転可能に設けられたロータと、このロータと上記底部との間の上記収容部内に充填された流体と、上記ロータと上記底部との間の上記収容部内にその軸線方向へ移動可能に、かつ回転不能に設けられ、上記収容部の内部を上記底部側の第１室と上記ロータ側の第２室とに区分するピストンと、上記ロータの回転に伴って上記ピストンを移動させる移動機構と、上記ピストンに上記収容部の軸線方向へ閉位置と開位置との間を移動可能に設けられた弁体とを備え、上記収容部の内周面と上記ピストンの外周面との間には、上記第１室と上記第２室とを連通させる連通路が設けられ、上記弁体が上記閉位置に位置すると上記連通路が上記弁体によって閉じられ、上記弁体が上記開位置に位置すると上記連通路が開かれる回転ダンパにおいて、上記ピストンの外周面に装着凹部が形成され、この装着凹部に上記弁体が上記ピストンの径方向へ着脱可能に、かつ上記ピストン軸線方向へ移動可能に装着され、上記弁体は、上記ピストンの軸線方向における一端側に位置する上記装着凹部の第１側面に突き当たったときに上記閉位置に位置して上記連通路を閉じ、上記ピストンの軸線方向における他端側に位置する上記装着凹部の第２側面に突き当たったときに上記開位置に位置して上記連通路を開くことを特徴としている。
この場合、上記弁体には、上記開位置に位置したときに上記第２側面に突き当たる第２当接面から装着凹部の底面と対向する対向面を経て上記閉位置に位置したときに上記第１側面に突き当たる第１当接面まで延びる連通溝が形成され、上記弁体が上記開位置に位置しているときには、上記連通路の上記第１室側の部分と上記第２室側の部分とが、上記連通溝及び上記第１側面と上記第１当接面との間に形成される隙間を介して連通し、上記弁体が上記閉位置に位置しているときには、上記連通溝が互いに突き当たる上記第１当接面及び上記第１側面によって閉じられ、その結果上記連通路が上記弁体によって閉じられることが望ましい。
上記第１当接面及び上記第１側面には、互いに突き当たることによって上記弁体を上記ピストンの径方向外側へ押圧して上記弁体を上記収容部の内周面に押圧接触させる押圧面が形成されていることが望ましい。
【発明の効果】
【０００８】
上記特徴構成を有するこの発明によれば、弁体をピストンに装着する場合には、弁体をピストンの径方向外側から内側へ向って移動させて、装着凹部に挿入するだけでよい。したがって、弁体をピストンに容易に装着することができる。
【発明を実施するための最良の形態】
【０００９】
以下、この発明を実施するための最良の形態を、図面を参照して説明する。
図１は、この発明の一実施の形態を示す。この実施の形態の回転ダンパ１は、ケーシング（ダンパ本体）２、ロータ３、カム部材４、ピストン５及び弁体６を主な構成要素としている。
【００１０】
ケーシング２は、図１及び図５に示すように、一端部（以下、先端部と称する。）が開口し、他端部（以下、後端部と称する。）に底部２ａを有しており、有底円筒状に形成されている。ケーシング２の内部が収容孔（収容部）２ｂになっている。ケーシング２は、筒状に形成することなく、ブロック体に収容孔２ｂを形成したものであってもよい。
【００１１】
ケーシング２の外周面には、一対の第１平坦部２ｃ，２ｃが形成されている。一対の第１平坦部２ｃ，２ｃは、ケーシング２の周方向に１８０°離れて配置されている。また、各第１平坦部２ｃは、ケーシング２の長手方向に沿ってその中間部から後端面まで延びている。第１平坦部２ｃ，２ｃは、ケーシング２の周壁部をその径方向内側に押し潰すことによって形成されている。この結果、収容孔２ｂの内周面には、第１平坦部２ｃ，２ｃに対応した第１平面部２ｄ，２ｄが形成されている。第１平面部２ｄ，２ｄは、ケーシング２の軸線を中心とする円に外接するように配置されている。
【００１２】
ケーシング２の外周面には、一対の第２平坦部２ｅ，２ｅが形成されている。一対の第２平坦部２ｅ，２ｅは、ケーシング２の周方向に１８０°離れ、かつ一対の第１平坦部２ｃ，２ｃに対して周方向へ９０°離れて配置されている。また、第２平坦部２ｅ，２ｅは、ケーシング２の長手方向において第１平坦部２ｃ，２ｃとほぼ同一位置に配置されており、ケーシング２の長手方向に沿ってその中間部から後端面まで延びている。第２平坦部２ｅは、ケーシング２の周壁部をその径方向内側に押し潰すことによって形成されている。この結果、収容孔２ｂの内周面には、第２平坦部２ｅ，２ｅに対応した第２平面部２ｆ，２ｆが形成されている。第２平面部２ｆ、２ｆは、ケーシング２の軸線を中心とする円に外接するように配置されている。しかも、第２平面部２ｆが外接する円の直径は、第１平面部２ｄが外接する円の直径より大径に設定されている。
【００１３】
上記ロータ３は、互いの軸線を一致させて一体に形成された大径部３ａ、中径部３ｂ及び小径部３ｃを有している。大径部３ａ及び中径部３ｂは、収容孔２ｂの開口側の端部に挿入されている。大径部３ａは、収容孔２ｂの内周面に直接回転可能に嵌合されている。中径部３ｂは、そこに嵌合された筒体７を介して収容孔２ｂの内周面に回転可能に嵌合されている。このようにして、ロータ３がケーシング２に回転可能に嵌合されている。ロータ３は、他の形態でケーシング２に回動可能に嵌合させてもよい。大径部３ａと筒体７との間には、Ｏリング等からなるシール部材８が装着されている。このシール部材８によって収容孔２ｂの内周面とロータ３の外周面との間が封止されている。また、筒体７がケーシング２の開口側端部に形成された縮径部２ｇにワッシャ９を介して突き当たっている。したがって、ロータ３は、収容孔２ｂの底部２ａから開口部へ向かう方向に移動することはない。小径部３ｃは、ケーシング２から外部に突出させられている。ロータ３の大径部３ａと底部２ａとの間の収容孔２ｂ内には、粘性流体、その他の流体（図示せず）が充填されている。
【００１４】
なお、回転ダンパ１を例えば便器の便器本体と便蓋との間に設ける場合には、ケーシング２とロータ３の小径部３ｃとのいずれか一方が便器本体に回転不能に連結され、他方が便蓋に回転不能に連結される。勿論、回転ダンパ１は、便器本体と便蓋以外の他の本体とこれに回転可能に設けられた回転体との間に用いることも可能である。
【００１５】
上記カム部材４は、互いの軸線を一致させて一体に形成されたカム部４ａ及び連結軸部４ｂを有している。カム部４ａは、収容孔２ｂの底部２ａ側の端部に挿入されている。カム部４ａの外周面は、第１平面部２ｄ，２ｄに回転可能に接している。これにより、カム部材４がその軸線を収容孔２ｂの軸線と一致させた状態で収容孔２ｂに回転可能に収容されている。また、カム部４ａは、底部２ａに突き当たっている。したがって、カム部材４は、収容孔２ｂの開口部から底部２ａへ向かう方向に移動することがない。連結軸部４ｂは、収容孔２ｂの軸線上を底部２ａ側から開口部側へ向かって延びており、その先端部は、ロータ３の大径部３ａの端面に形成された係合孔３ｄに回転不能に挿入されている。したがって、カム部材４は、シリンダ２の軸線を中心としてロータ３と一体に回転する。
一体に回転する。
【００１６】
上記ピストン５は、収容孔２ｂの内周面のうちの第１及び第２平面部２ｄ，２ｆが形成された部分とほぼ同一の断面形状及び寸法を有している。すなわち、ピストン５は、軸状をなしており、収容孔２ｂの内径とほぼ同一の外径を有している。ピストン５の外周面には、その一端面から他端面まで延びる第３平面部５ａ，５ａが形成されている。第３平面部５ａ，５ａは、第１平面部２ｄ，２ｄと同一の幅を有している。そして、第３平面部５ａ，５ａが第１平面部２ｄ，２ｄと対向するようにしてピストン５が収容孔２ｂに挿入されている。これにより、ピストン５が収容孔２ｂに摺動可能に、かつ回転不能に嵌合されている。ピストン５の中央部には、その軸線上を一端面から他端面まで延びる貫通孔５ｂが形成されている。この貫通孔５ｂには、連結軸部４ｂが回転可能に、かつ摺動可能に挿通されている。貫通孔５ｂの内周面と連結軸部４ｂの外周面との間は、Ｏリング等からなるシール部材１０によって封止されている。
【００１７】
ピストン５が収容孔２ｂに嵌合されることにより、収容孔２ｂの内部が底部２ａ側の第１室１１とロータ３側の第２室１２とに区分されている。第１室１１と第２室１２とは、連通路１３，１３によって連通されている。連通路１３は、ピストン５の外周面に形成された通路溝１３ａと第２平面部２ｆとによって構成されている。通路溝１３ａは、ピストン５の一端面から他端面まで延びている。したがって、通路溝１３ａの一端部は、第１室１１に連通し、通路溝１３ａの他端部は第２室１２に連通している。通路溝１３ａの幅は、第２平面部２ｆの幅と同一に設定されており、ピストン５の径方向外側を向く通路溝１３ａの開放部が第２平面部２ｆによって遮蔽されている。この結果、通路溝１３ａ及び第２平面部２ｆにより、第１室１１と第２室１２とを連通する連通路１３が構成されている。
【００１８】
連通路１３は、他の構造を採用することも可能である。例えば、収容孔２ｂの内周面に第２平面部２ｆを形成することなく、第２平面部２ｆが形成された部分に収容孔２ｂの内周面をそのまま残して、当該部分を断面円弧状にする。その一方、ピストン５の外周面のうちの通路溝１３ａが形成された部分に、ピストン５の一端面から他端面まで延びる平面部を形成する。この平面部と収容孔２ｂの内周面とによって囲まれる空間を連通路とすることも可能である。
【００１９】
ロータ３の大径部３ａとピストン５との対向面には、互いに接触した端面カム１４ａ及び端面カム１４ｂがそれぞれ形成されている。この端面カム１４ａ，１４ｂにより、第１カム機構１４が構成されている。この第１カム機構１４は、ロータ３が第１方向へ回転するときには、ピストン５を第２室１２から第１室１１へ向かう方向に移動させる。逆に、ロータ３が第１方向と逆方向である第２方向へ回転するときには、ピストン５が第１室１１から第２室１２へ向かう方向に移動することを許容する。
【００２０】
カム部材４のカム部４ａとピストン５との対向面には、互いに接触した端面カム１５ａ，１５ｂがそれぞれ形成されている。この端面カム１５ａ，１５ｂにより、第２カム機構１５が構成されている。この第２カム機構１５は、ロータ３が第１方向へ回転するときには、ピストン５が第２室１２から第１室１１へ向かう方向に移動することを許容する。逆に、ロータ３が第２方向へ回転するときには、ピストン５を第１室１１から第２室１２へ向かう方向に移動させる。しかも、第１及び第２カム機構１４，１５は、ロータ３の単位回転角度当たりのピストン５の移動距離が同一になるように設定されている。したがって、ロータ３が第１又は第２方向へ回転すると、それに追随してピストン５が収容孔２ｂの軸線方向へ移動する。これから明らかなように、この実施の形態においては、第１及び第２カム機構１４，１５によって移動機構が構成されている。なお、第１、第２カム機構１４，１５のいずれか一方については、それに代えてコイルばね等の付勢手段を用いてもよい。
【００２１】
ロータ３の第２方向への高速回転を許容する一方、第１方向への高速回転を阻止して低速で回転させるために、ピストン５には上記弁体６が設けられている。すなわち、ピストン５の外周面には、装着凹部５ｃが二つ形成されている。この二つの装着凹部５ｃ，５ｃは、ピストン５の周方向へ１８０°離れて配置されている。各装着凹部５ｃは、ピストン５の弦に沿って延び、通路溝１３ａと直交するように配置されている。装着凹部５ｃの長さは、通路溝１３ａの幅より長く設定され、通路溝１３ａを横断している。また、装着凹部５ｃの深さは、通路溝１３ａの深さより深く設定されている。このような装着凹部５ｃが形成されることにより、通路溝１３ａ（連通路１３）が第１室１１側の第１通路部１３ｂと、第２室１２側の第２通路部１３ｃとに二分されている。
【００２２】
装着凹部５ｃには、弁体６が装着されている。弁体６は、ピストン５がケーシング２内に挿入される前に装着されており、ピストン５の径方向へ接近移動させるだけで装着凹部５ｃに装着可能である。弁体６は、図３に示すように、その長手方向の両端面が装着凹部５ｃの長手方向の両端面に突き当たることにより、装着凹部５ｃの長手方向へは移動不能になっている。その一方、図２及び図４から明らかなように、弁体６の幅（ピストン５の軸線方向における幅）が装着凹部５ｃの幅より短くなっており、その差の分だけ弁体６が装着凹部５ｃの幅方向へ移動可能になっている。さらに、図３から明らかなように、ピストン５の径方向における弁体６の厚さは、装着凹部５ｃの深さより薄くなっており、その差の分だけ弁体６が装着凹部５ｃの深さ方向（ピストン５の径方向）へ移動可能になっている。弁体６厚さを装着凹部５ｃの深さと同一にし、弁体６を装着凹部５ｃの深さ方向へ移動不能にしてもよい。
【００２３】
装着凹部５ｃの幅方向の両側面５ｄ，５ｅのうち、第１室１１側の側面（第２側面）５ｄは、ピストン５の軸線とのなす角が直角である平面によって構成されている。一方、第２室１２側の側面（第１側面；押圧面）５ｅは、装着凹部５ｃの底面からピストン５の径方向外側へ向かうにしたがって装着凹部５ｃの幅が広がるように傾斜させられている。ただし、側面５ｅは、必ずしも傾斜させる必要がなく、ピストン５の軸線とのなす角を９０°にしてもよい。
【００２４】
弁体６には、連通溝６ａが形成されている。この連通溝６ａは、装着凹部５ｃの側面５ｄと対向する弁体６の側面（第２当接面；押圧面）６ｂ及び装着凹部５ｃの底面と対向する弁体６の下面（対向面）６ｃにわたって形成されている。連通溝６ａの一端部は、収容孔２ｂの内周面に接する弁体６の上面６ｅに達している。連通溝６の他端部は、側面６ｂ及び下面６ｃを横断し、側面５ｅに突き当たる弁体６の側面（第１当接面）６ｄに達している。連通溝６ａの幅は、弁体６の長さより短く設定されており、弁体６の長手方向の中間部に配置されている。なお、弁体６の側面６ｄは、側面５ｅと同一の角度で傾斜する傾斜面とされているが、側面５ｅがピストン５の軸線とのなす角が９０°である垂直面とされるときには、側面６ｄも垂直面とされる。
【００２５】
図２に示すように、弁体６が装着凹部５ｃの傾斜した側面５ｅに突き当たっているときには、連通溝６ａの一端部が通路溝１３ａのうちの第１通路部１３ｂに連通しているが、連通溝６ａの側面６ｄにおける開放部が、互いに突き当たる側面５ｅ，６ｄによって閉じられている。この結果、第１、第２通路部１３ｂ，１３ｃが弁体６によって閉じられ、ひいては第１室１１と第２室１２との間が弁体６によって閉じられる。これから明らかなように、側面６ｄが側面５ｅに突き当たっているときの弁体６の位置が閉位置である。
【００２６】
図４に示すように、弁体６の側面６ｂが装着凹部５ｃの側面５ｄに突き当たっているときには、連通溝６ａの一端部が第１通路部１３ｂに連通するとともに、連通溝６ａの他端部が側面５ｅ，６ｄ間に形成される隙間Ｓを介して第２通路部１３ｃに連通する。この結果、第１、第２通路部１３ｂ，１３ｃが連通溝６ａを介して連通し、ひいては第１溝１１と第２室１２とが連通路１３及び連通溝６ａを介して連通する。これから明らかなように、側面６ｂが側面５ｄに突き当たっているときの弁体６の位置が開位置である。
【００２７】
上記構成の回転ダンパ１を組み立てる場合には、ケーシング２の収容孔２ｂ内にカム部材４、ピストン５及びロータ３を順次挿入する。この場合、ピストン５には、収容孔２ｂへの挿入前に弁体６が装着される。ピストン５に弁体６を装着する場合には、弁体６をピストン５の外側からその径方向へ移動させて装着凹部５ｃに挿入するだけでよい。したがって、環状の弁体にピストンを挿入して９０°回転させることによって弁体がピストンに装着される従来の回転ダンパに比して弁体６をピストン５に容易に装着することができる。しかも、弁体６は、環状でないので、環状の弁体に比して大幅に小さくなる。
【００２８】
上記のように構成された回転ダンパ１において、いま弁体６が図２示す閉位置に位置しているものとする。ロータ３を第２方向へ回転させると、ピストン５が第２カム機構１５により第１室１１側から第２室１２側へ移動させられる。すると、第２室１２内の流体が連通路１３を通って第１室１１に流入しようとする。このとき、第２室１２内の流体は、第２通路部１３ｃを通って装着凹部５ｃに流入する。装着凹部５ｃに流入した流体は、弁体６の側面６ｄに突き当たり、弁体６を閉位置から開位置まで移動させる。この結果、第２室１２が連通路１３及び連通溝６ａを介して第１室１１に連通する。したがって、第２室１２内の流体は、連通路１３及び連通溝６ａを通ってほとんど抵抗なく第１室１１に流入することができる。よって、ロータ３が、第２方向へ高速で回転することができる。
【００２９】
弁体６が図４に示す開位置に位置している状態において、ロータ３を第１方向へ回転させると、ピストン５が第１カム機構１４により第２室１２側から第１室１１側へ移動させられる。すると、第１室１１内の流体が連通路１３を通って第２室１２に流入しようとする。このとき、第１室１１内の流体は、第１通路部１３ｂを通って装着凹部５ｃに流入するが、装着凹部５ｃに流入した流体は、弁体６の側面６ｂに突き当たり、弁体６を開位置から閉位置まで移動させる。この結果、連通溝６ａが閉じられ、ひいては連通路１３が弁体６によって閉じられる。このため、第１室１１内の流体は、ピストン５の外周面と収容孔２ｂの内周面との間の僅かの隙間、つまり収容孔２ｂの軸線方向へのピストン５の移動を可能にするための隙間を通って第２室１２内に流入する。ところが、当該隙間の間隔は非常に狭いものであり、当該隙間の流体に対する流通抵抗が非常に大きい。このため、ロータ３の第１方向への高速回転が阻止され、ロータ３は低速で回転する。しかも、傾斜した側面６ｄが側面５ｅに突き当たることにより、弁体６がピストン５の径方向外側へ押圧され、弁体６の上面６ｅが収容孔２ｂの内周面に押圧接触させられる。この結果、ピストン５の外周面と収容孔２ｂの内周面との間に形成される隙間の周方向の長さが、弁体６の長さ（ピストン５の周方向における長さ）の分だけ小さくなる。よって、ロータ３の第１方向への回転速度をより一層低速に抑えることができる。
【００３０】
なお、この発明は、上記の実施の形態に限定されるものでなく、その要旨を逸脱しない範囲において適宜変更可能である。
例えば、上記の実施の形態においては、ピストン５が第２室１２側から第１室１１側へ移動するときに、弁体６が閉位置に位置するように構成されているが、これとは逆にピストン５が第１室１１側から第２室１２側へ移動するときに、弁体６が開位置に位置するように構成してもよい。このように構成する場合には、装着凹部５ｃの側面５ｄ，５ｅがピストン５の軸線方向において互いに逆に配置されるとともに、弁体６の側面６ｂ，６ｄも互いに逆に配置される。
【図面の簡単な説明】
【００３１】
【図１】この発明の一実施の形態を示す縦断面図である。
【図２】弁体が閉位置に位置した状態で示す図１のＸ円部の拡大図である。
【図３】図２のＸ−Ｘ線に沿う断面図である。
【図４】弁体が開位置に位置した状態で示す図１のＸ円部の拡大図である。
【図５】同実施の形態の分解斜視図である。
【符号の説明】
【００３２】
Ｓ  隙間
１  回転ダンパ
２  ケーシング（ダンパ本体）
２ａ  底部
２ｂ  収容孔（収容部）
３  ロータ
５  ピストン
５ｃ  装着凹部
５ｄ  側面（第２側面）
５ｅ  側面（第１側面；押圧面）
６  弁体
６ａ  連通溝
６ｂ  側面（第２当接面）
６ｃ  下面（対向面）
６ｄ  側面（第１当接面；押圧面）
１１  第１室
１２  第２室
１３  連通路
１３ｂ  第１通路部（連通路の第１室側の部分）
１３ｃ  第２通路部（連通路の第２室側の部分）
１４  第１カム機構（移動機構）
１５  第２カム機構（移動機構）
【図１】
2010101413.tif 000003
【図２】
2010101413.tif 000004
【図３】
2010101413.tif 000005
【図４】
2010101413.tif 000006
【図５】
2010101413.tif 000007